(57)【要約】【課題】鉄筋の配置をより容易に行う。【解決手段】その長手方向Ｌが互いに平行になるようにしつつ、その長手方向Ｌに直交する方向に互いに間隔ｇを隔てて配置された複数の鉄筋２と、間隔ｇを隔てて配置された互いに隣接する鉄筋２同士を連結する間隔保持線３と、間隔保持線３により連結された複数の鉄筋２がその周りに巻き付けられた芯材４とを備えた鉄筋ユニット１において、芯材４の周りに巻き付けられた鉄筋２が展開される方向に芯材４が回転可能なように芯材４を軸支するための軸支材８をさらに備えるため、軸支材８を軸支することにより、鉄筋ユニット１の外周面を押して鉄筋ユニットを転がさなくても、芯材４の周りに巻き付けられた鉄筋２を引き出すだけで、芯材４に巻き付けられた鉄筋２を展開することができ、鉄筋２の配置をより容易に行うことができる。【選択図】図２
2019037994.tif 000002
【特許請求の範囲】
【請求項１】
その長手方向が互いに平行になるようにしつつ、その前記長手方向に直交する方向に互いに間隔を隔てて配置された複数の鉄筋と、
前記間隔を隔てて配置された互いに隣接する前記鉄筋同士を連結する間隔保持線と、
前記間隔保持線により連結された複数の前記鉄筋がその周りに巻き付けられた芯材と、
前記芯材の周りに巻き付けられた前記鉄筋が展開される方向に前記芯材が回転可能なように前記芯材を軸支するための軸支材と、
を備えた鉄筋ユニット。
【請求項２】
複数の鉄筋の長手方向が互いに平行になるようにしつつ、複数の前記鉄筋の前記長手方向に直交する方向に互いに間隔を隔てて複数の前記鉄筋を配置する鉄筋配置工程と、
前記鉄筋配置工程で前記間隔を隔てて配置された互いに隣接する前記鉄筋同士を間隔保持線により連結する鉄筋連結工程と、
前記鉄筋連結工程で前記間隔保持線により連結された複数の前記鉄筋を芯材の周りに巻き付ける鉄筋巻付工程と、
前記芯材の周りに巻き付けられた前記鉄筋が展開される方向に前記芯材が回転可能なように前記芯材を軸支するための軸支材を前記芯材に挿入する軸支材挿入工程と、
を備えた鉄筋ユニットの製造方法。
【請求項３】
複数の鉄筋の長手方向が互いに平行になるようにしつつ、複数の前記鉄筋の前記長手方向に直交する方向に互いに間隔を隔てて複数の前記鉄筋を配置する鉄筋配置工程と、
前記鉄筋配置工程で前記間隔を隔てて配置された互いに隣接する前記鉄筋同士を間隔保持線により連結する鉄筋連結工程と、
前記鉄筋連結工程で前記間隔保持線により連結された複数の前記鉄筋を芯材の周りに巻き付ける鉄筋巻付工程と、
を備え、
前記鉄筋巻付工程では、前記芯材の周りに巻き付けられた前記鉄筋が展開される方向に前記芯材が回転可能なように前記芯材を軸支するための軸支材を有する前記芯材の周りに前記鉄筋を巻き付ける、鉄筋ユニットの製造方法。
【請求項４】
その長手方向が互いに平行になるようにしつつ、その前記長手方向に直交する方向に互いに間隔を隔てて配置された複数の鉄筋と、
前記間隔を隔てて配置された互いに隣接する前記鉄筋同士を連結する間隔保持線と、
前記間隔保持線により連結された複数の前記鉄筋がその周りに巻き付けられた芯材と、
前記芯材の周りに巻き付けられた前記鉄筋が展開される方向に前記芯材が回転可能なように前記芯材を軸支するための軸支材と、
を備えた鉄筋ユニットを用いた鉄筋配置方法であって、
前記軸支材により、前記芯材の周りに巻き付けられた前記鉄筋が展開される方向に前記芯材が回転可能なように前記芯材を軸支する芯材軸支工程と、
前記芯材軸支工程により軸支された前記芯材の周りに巻き付けられた前記鉄筋を前記芯材から引き出すことにより、前記鉄筋を鉄筋配置面に展開する鉄筋展開工程と、
を備えた鉄筋配置方法。
【請求項５】
前記芯材の周りに巻き付けられた前記鉄筋のいずれかを固定する鉄筋固定工程をさらに備え、
前記鉄筋展開工程では、前記鉄筋固定工程により前記芯材の周りに巻き付けられた前記鉄筋のいずれかが固定された後に、前記芯材軸支工程で前記芯材を軸支させた前記軸支材を前記鉄筋配置面に沿って移動させることにより、前記鉄筋を前記鉄筋配置面に展開する、請求項４に記載の鉄筋配置方法。
【請求項６】
前記芯材軸支工程で前記芯材を軸支させた前記軸支材を固定する軸支材固定工程をさらに備え、
前記鉄筋展開工程では、前記軸支材固定工程で固定された前記軸支材により軸支された前記芯材の周りに巻き付けられた前記鉄筋を前記鉄筋配置面に沿って前記芯材から引き出すことにより、前記鉄筋を前記鉄筋配置面に展開する、請求項４に記載の鉄筋配置方法。
【請求項７】
前記鉄筋展開工程では、前記鉄筋を前記芯材から引き出しつつ、前記間隔保持線により連結された互いに隣接する前記鉄筋同士の間に補強材を取付ける、請求項４〜６のいずれか１項に記載の鉄筋配置方法。
【発明の詳細な説明】
【技術分野】
【０００１】
本発明は、鉄筋ユニット、鉄筋ユニットの製造方法及び鉄筋配置方法に関する。
【背景技術】
【０００２】
長手方向が互いに平行になるようにしつつ、その長手方向に直交する方向に互いに間隔を隔てて配置された複数の鉄筋と、間隔を隔てて配置された互いに隣接する鉄筋同士を連結する間隔保持線と、間隔保持線により連結された複数の鉄筋がその周りに巻き付けられた芯材とを備えた鉄筋ユニットが知られている。例えば、特許文献１には、このような鉄筋ユニットの製造方法及び製造装置が開示されている。このような鉄筋ユニットの鉄筋が鉄筋配置面に配置される際には、鉄筋ユニットが鉄筋配置面に配置された後に、芯材に巻き付けられた鉄筋が巻き戻される方向に鉄筋ユニットの外周面を押して鉄筋ユニットを転がすことにより、芯材に巻き付けられた鉄筋が展開され、鉄筋ユニットの鉄筋が鉄筋配置面に配置される。
【先行技術文献】
【特許文献】
【０００３】
【特許文献１】特許第６０４０２９２号公報
【発明の概要】
【発明が解決しようとする課題】
【０００４】
ところで、鉄筋ユニットの芯材に巻き付けられた鉄筋が展開される際には、作業員は前かがみになり、鉄筋ユニットの外周面を押さなければならないが、作業員は鉄筋ユニットに視線や意識が集中して下を向いてしまい、鉄筋を所定の位置に配置できているか全体を確認できない。そのため、鉄筋が所定の位置からずれてしまい、設置後に修正作業を行う必要がある。また、複数の作業員により鉄筋ユニットを押す場合には、隣の作業員に対して、鉄筋ユニットを押すことによる鉄筋の展開の速度を同じ程度としなければならないが、お互いを確認しながら鉄筋ユニットを押す作業は困難である。また、例えば、スラブ厚が２ｍ程度ある場合には、周囲に足場を設置し、鉄筋上を歩いて作業を行わなければならないが、歩き難い鉄筋上で鉄筋ユニットを押しながら移動する作業は困難である。
【０００５】
そこで本発明は、鉄筋の配置をより容易に行うことができる鉄筋ユニット、そのような鉄筋ユニットの製造方法及び鉄筋配置方法を提供することを目的とする。
【課題を解決するための手段】
【０００６】
本発明は、その長手方向が互いに平行になるようにしつつ、その長手方向に直交する方向に互いに間隔を隔てて配置された複数の鉄筋と、間隔を隔てて配置された互いに隣接する鉄筋同士を連結する間隔保持線と、間隔保持線により連結された複数の鉄筋がその周りに巻き付けられた芯材と、芯材の周りに巻き付けられた鉄筋が展開される方向に芯材が回転可能なように芯材を軸支するための軸支材とを備えた鉄筋ユニットである。
【０００７】
この構成によれば、その長手方向が互いに平行になるようにしつつ、その長手方向に直交する方向に互いに間隔を隔てて配置された複数の鉄筋と、間隔を隔てて配置された互いに隣接する鉄筋同士を連結する間隔保持線と、間隔保持線により連結された複数の鉄筋がその周りに巻き付けられた芯材とを備えた鉄筋ユニットにおいて、芯材の周りに巻き付けられた鉄筋が展開される方向に芯材が回転可能なように芯材を軸支するための軸支材をさらに備えるため、軸支材を軸支することにより、鉄筋ユニットの外周面を押して鉄筋ユニットを転がさなくても、芯材の周りに巻き付けられた鉄筋を引き出すだけで、芯材に巻き付けられた鉄筋を展開することができ、鉄筋の配置をより容易に行うことができる。
【０００８】
また、本発明は、複数の鉄筋の長手方向が互いに平行になるようにしつつ、複数の鉄筋の長手方向に直交する方向に互いに間隔を隔てて複数の鉄筋を配置する鉄筋配置工程と、鉄筋配置工程で間隔を隔てて配置された互いに隣接する鉄筋同士を間隔保持線により連結する鉄筋連結工程と、鉄筋連結工程で間隔保持線により連結された複数の鉄筋を芯材の周りに巻き付ける鉄筋巻付工程と、芯材の周りに巻き付けられた鉄筋が展開される方向に芯材が回転可能なように芯材を軸支するための軸支材を芯材に挿入する軸支材挿入工程とを備えた鉄筋ユニットの製造方法である。
【０００９】
また、本発明は、複数の鉄筋の長手方向が互いに平行になるようにしつつ、複数の鉄筋の長手方向に直交する方向に互いに間隔を隔てて複数の鉄筋を配置する鉄筋配置工程と、鉄筋配置工程で間隔を隔てて配置された互いに隣接する鉄筋同士を間隔保持線により連結する鉄筋連結工程と、鉄筋連結工程で間隔保持線により連結された複数の鉄筋を芯材の周りに巻き付ける鉄筋巻付工程とを備え、鉄筋巻付工程では、芯材の周りに巻き付けられた鉄筋が展開される方向に芯材が回転可能なように芯材を軸支するための軸支材を有する芯材の周りに鉄筋を巻き付ける鉄筋ユニットの製造方法である。
【００１０】
また、本発明は、その長手方向が互いに平行になるようにしつつ、その長手方向に直交する方向に互いに間隔を隔てて配置された複数の鉄筋と、間隔を隔てて配置された互いに隣接する鉄筋同士を連結する間隔保持線と、間隔保持線により連結された複数の鉄筋がその周りに巻き付けられた芯材と、芯材の周りに巻き付けられた鉄筋が展開される方向に芯材が回転可能なように芯材を軸支するための軸支材とを備えた鉄筋ユニットを用いた鉄筋配置方法であって、軸支材により、芯材の周りに巻き付けられた鉄筋が展開される方向に芯材が回転可能なように芯材を軸支する芯材軸支工程と、芯材軸支工程により軸支された芯材の周りに巻き付けられた鉄筋を芯材から引き出すことにより、鉄筋を鉄筋配置面に展開する鉄筋展開工程とを備えた鉄筋配置方法である。
【００１１】
この場合、芯材の周りに巻き付けられた鉄筋のいずれかを固定する鉄筋固定工程をさらに備え、鉄筋展開工程では、鉄筋固定工程により芯材の周りに巻き付けられた鉄筋のいずれかが固定された後に、芯材軸支工程で芯材を軸支させた軸支材を鉄筋配置面に沿って移動させることにより、鉄筋を鉄筋配置面に展開してもよい。
【００１２】
この構成によれば、鉄筋固定工程で、芯材の周りに巻き付けられた鉄筋のいずれかが固定され、鉄筋展開工程では、鉄筋固定工程により芯材の周りに巻き付けられた鉄筋のいずれかが固定された後に、芯材軸支工程で芯材を軸支させた軸支材を鉄筋配置面に沿って移動させることにより、鉄筋が鉄筋配置面に展開させられるため、鉄筋ユニットの外周面を押して鉄筋ユニットを転がさなくても、芯材に巻き付けられた鉄筋を鉄筋配置面に展開することができ、鉄筋の配置をより容易に行うことができる。
【００１３】
一方、本発明の鉄筋配置方法では、芯材軸支工程で芯材を軸支させた軸支材を固定する軸支材固定工程をさらに備え、鉄筋展開工程では、軸支材固定工程で固定された軸支材により軸支された芯材の周りに巻き付けられた鉄筋を鉄筋配置面に沿って芯材から引き出すことにより、鉄筋を鉄筋配置面に展開してもよい。
【００１４】
この構成によれば、軸支材固定工程で、芯材軸支工程で芯材を軸支させた軸支材が固定され、鉄筋展開工程では、軸支材固定工程で固定された軸支材により軸支された芯材の周りに巻き付けられた鉄筋を鉄筋配置面に沿って芯材から引き出すことにより、鉄筋が鉄筋配置面に展開させられるため、鉄筋ユニットの外周面を押して鉄筋ユニットを転がさなくても、芯材に巻き付けられた鉄筋を鉄筋配置面に展開することができ、鉄筋の配置をより容易に行うことができる。
【００１５】
また、本発明の鉄筋配置方法においては、鉄筋展開工程では、鉄筋を芯材から引き出しつつ、間隔保持線により連結された互いに隣接する鉄筋同士の間に補強材を取付けることが好適である。
【００１６】
この構成によれば、鉄筋展開工程では、鉄筋が芯材から引き出される際に、間隔保持線により連結された互いに隣接する鉄筋同士の間に補強材が取付けるため、例えば、水平から傾斜した方向に鉄筋が引き出されても、鉄筋同士の連結の強度を補強することができる。
【発明の効果】
【００１７】
本発明の鉄筋ユニット、鉄筋ユニットの製造方法及び鉄筋配置方法によれば、鉄筋の配置をより容易に行うことができる。
【図面の簡単な説明】
【００１８】
【図１】実施形態の鉄筋ユニットを示す斜視図である。
【図２】実施形態の鉄筋ユニットを示す側面図である。
【図３】実施形態の鉄筋ユニットの製造方法の鉄筋配置工程を示す側面図である。
【図４】実施形態の鉄筋ユニットの製造方法の鉄筋連結工程を示す側面図である。
【図５】実施形態の鉄筋ユニットの製造方法の芯材配置工程を示す側面図である。
【図６】実施形態の鉄筋ユニットの製造方法の鉄筋巻付工程を示す側面図である。
【図７】実施形態の鉄筋ユニットの製造方法の軸支材挿入工程を示す斜視図である。
【図８】実施形態の鉄筋ユニットの製造方法の芯材配置工程の他の態様を示す側面図である。
【図９】実施形態の鉄筋ユニットの製造方法の鉄筋巻付工程の他の態様を示す側面図である。
【図１０】実施形態の鉄筋配置方法の芯材軸支工程を示す斜視図である。
【図１１】実施形態の鉄筋配置方法の鉄筋固定工程及び鉄筋展開工程を示す斜視図である。
【図１２】実施形態の鉄筋配置方法の鉄筋固定工程及び鉄筋展開工程の他の態様を示す斜視図である。
【図１３】実施形態の鉄筋配置方法の鉄筋固定工程及び鉄筋展開工程の他の態様を示す斜視図である。
【図１４】実施形態の鉄筋配置方法の鉄筋固定工程及び鉄筋展開工程の他の態様を示す斜視図である。
【図１５】実施形態の鉄筋配置方法の鉄筋固定工程及び鉄筋展開工程の他の態様を示す斜視図である。
【図１６】実施形態の鉄筋配置方法の鉄筋固定工程及び鉄筋展開工程の他の態様を示す斜視図である。
【発明を実施するための形態】
【００１９】
以下、図面を参照しつつ本発明に係る鉄筋ユニット、鉄筋ユニットの製造方法及び鉄筋配置方法について詳細に説明する。図１及び図２に示すように、本実施形態の鉄筋ユニット１は、鉄筋２、間隔保持線３、芯材４及び軸支材８を備えている。鉄筋２は、その長手方向Ｌが互いに平行になるようにしつつ、その長手方向Ｌに直交する方向である幅方向Ｄに互いに間隔ｇを隔てて配置されている。
【００２０】
間隔保持線３は、間隔ｇを隔てて配置された互いに隣接する鉄筋２同士を連結する。本実施形態では、間隔保持線３は、間隔保持線３のキンクのし難さと鉄筋ユニット１の展開のし易さしやすさとを考慮し、硬さや剛性を考慮して決定される。例えば、鉄筋２の径がＤ１０〜Ｄ２２までは、１４番（線径２．０ｍｍ）の間隔保持線３が使用される。１４番の間隔保持線３は、例えば、線径２．０±０．０５ｍｍ、引張強さ２９０〜５４０Ｎ／ｍｍ２、亜鉛付着量２５ｇ／ｍ２である。また、例えば、鉄筋２の径がＤ２５〜Ｄ３２までは、１２番（線径２．６ｍｍ）の間隔保持線３が使用される。なお、鉄筋２が細径であり、間隔保持線３も細い場合であって、鉄筋２及び間隔保持線３がワイヤーメッシュのようなものである場合には、必ずしも鉄筋２の長手方向と間隔保持線３の長手方向とが直交していなくともよく、鉄筋２及び間隔保持線３が直線状でなくともよい。
【００２１】
芯材４は、間隔保持線３により連結された複数の鉄筋２がその周りに巻き付けられる。芯材４は、鋼製の線材が円柱の側面で螺旋状をなすように湾曲させられることにより形成された螺旋線材５と、鉄筋２が掛けられるフック部６と、芯材４の中心軸に沿って挿入された軸支材８を支持する軸支材受部７とを有する。軸支材受部７は、例えば、螺旋線材５から螺旋線材５により形成される円柱の中心軸に向かって延材する単数又は複数の線材によって当該円柱の中心軸に固定された円環部材であり、円環部材の内周面により軸支材８を支持する。なお、鉄筋ユニット１の鉄筋２の数が少ない、鉄筋２の重量が軽い等の場合には、螺旋線材５により形成される円柱の内周面が軸支材８を支持し、軸支材受部７は省略されてもよい。また、鉄筋ユニット１の鉄筋２の数が少ない、鉄筋２の重量が軽い等の状況に応じて、フック部６は省略されてもよい。
【００２２】
芯材４の径は、例えば、芯材４に最も近い層では鉄筋２の数が３本になるようにし、芯材４に近い順の１〜５、６層目までは各層の鉄筋２が重ならないようにし、その他の層では鉄筋２の重なりは考慮せずに決定してもよい。例えば、鉄筋２の径がＤ１０〜Ｄ２２までは、芯材４の直径は、例えば、３００ｍｍにできる。また、鉄筋２の径がＤ２５〜Ｄ３２までは、芯材４の直径は、例えば、４００ｍｍにできる。なお、鉄筋２が細径であり、間隔保持線３も細い場合であって、鉄筋２及び間隔保持線３がワイヤーメッシュのようなものである場合には、必ずしも芯材４の軸方向に鉄筋２の長手方向Ｌを平行にして鉄筋２及び間隔保持線３が芯材４に巻き付けられる必要はなく、芯材４の軸方向に間隔保持線３の長手方向を直交させて鉄筋２及び間隔保持線３が芯材４に巻き付けられる必要も無い。
【００２３】
軸支材８は、芯材４の周りに巻き付けられた鉄筋２が展開される方向に芯材４が回転可能なように芯材４を軸支する。軸支材８は、例えば、鋼製の円柱又は円管であり、その長手方向が芯材４の中心軸に沿うように軸支材受部７に挿入される。軸支材受部７に挿入された軸支材８は、芯材４がその中心軸周りに回転可能なように芯材４を軸支する。なお、軸支材受部７が省略される場合には、軸支材８は芯材４の螺旋線材５により形成される円柱の内周側に挿入され、螺旋線材５により形成される円柱の内周面により軸支材８は支持される。あるいは、軸支材受部７にさらに鋼管等の筒材が挿入されて、筒材が軸支材受部７及び芯材４と一体化され、筒材に鋼製の円柱又は円管である軸支材８が回転可能なように挿入されてもよい。
【００２４】
以下、本実施形態の鉄筋ユニット１の製造方法について説明する。図３に示すように、複数の鉄筋２の長手方向Ｌが互いに平行になるようにしつつ、複数の鉄筋２の長手方向Ｌに直交する方向である幅方向Ｄに互いに間隔ｇを隔てて複数の鉄筋２を配置する鉄筋配置工程が行われる。図４に示すように、鉄筋配置工程で間隔ｇを隔てて配置された互いに隣接する鉄筋２同士を間隔保持線３により連結する鉄筋連結工程が行われる。
【００２５】
図５に示すように、間隔保持線３により連結された複数の鉄筋２の内の一方の端部の鉄筋２を芯材４のフック部６に掛けることにより、芯材４を配置する芯材配置工程が行われる。なお、鉄筋ユニット１の鉄筋２の数が少ない、鉄筋２の重量が軽い等の状況に応じて、鉄筋２は芯材４のフック部６に掛けられずに、単に芯材４の周りに巻き付けられてもよい。
【００２６】
図６に示すように、鉄筋連結工程で間隔保持線３により連結された複数の鉄筋２を芯材４の周りに巻き付ける鉄筋巻付工程が行われる。なお、鉄筋巻付工程の終了後に、芯材４に巻き付けられた末尾の鉄筋２が固定されてもよい。図７に示すように、芯材４の周りに巻き付けられた鉄筋２が展開される方向に芯材４が回転可能なように芯材４を軸支するための軸支材８を芯材４に挿入する軸支材挿入工程が行われる。芯材４が軸支材受部７を有する場合には、軸支材８は軸支材受部７に挿入される。芯材４が軸支材受部７を有しない場合には、軸支材８は芯材４の螺旋線材５により形成される円柱の内周側に挿入される。
【００２７】
なお、図８に示すように、芯材配置工程では、芯材４の周りに巻き付けられた鉄筋２が展開される方向に芯材４が回転可能なように芯材４を軸支するための軸支材８を予め有する芯材４が配置されてもよい。この場合、図９に示すように、鉄筋巻付工程では、鉄筋巻付工程では、芯材４の周りに巻き付けられた鉄筋２が展開される方向に芯材４が回転可能なように芯材４を軸支するための軸支材８を予め有する芯材４の周りに鉄筋２が巻き付けられてもよい。この場合は、軸支材挿入工程は省略される。
【００２８】
以下、本実施形態の鉄筋配置方法について説明する。図１０に示すように、軸支材８により、芯材４の周りに巻き付けられた鉄筋２が展開される方向に芯材４が回転可能なように芯材４を軸支する芯材軸支工程が行われる。芯材軸支工程では、例えば、軸支材８の長手方向の両端部のそれぞれが一対の架台９により支持される。図１１に示すように、芯材４の周りに巻き付けられた鉄筋２のいずれかを固定する鉄筋固定工程が行われる。鉄筋固定工程では、例えば、芯材４に巻き付けられた末尾の鉄筋２が鉄筋配置面３０に固定される。
【００２９】
図１１に示すように、芯材軸支工程により軸支された芯材４の周りに巻き付けられた鉄筋２を芯材４から引き出すことにより、鉄筋２を鉄筋配置面３０に展開する鉄筋展開工程が行われる。鉄筋展開工程では、鉄筋固定工程により芯材４の周りに巻き付けられた鉄筋２のいずれかが固定された後に、芯材軸支工程で芯材４を軸支させた軸支材８を水平な鉄筋配置面３０に沿って水平方向に移動させることにより、鉄筋２が鉄筋配置面３０に展開される。例えば、軸支材８を支持した一対の架台９を架台懸架具１０を介してクレーン等により楊重し、架台９を水平方向に移動させることにより、芯材４を軸支させた軸支材８を水平方向に移動させることができる。
【００３０】
以下、本実施形態の鉄筋配置方法の他の態様について説明する。図１２に示すように、芯材４の周りに巻き付けられた鉄筋２のいずれかを固定する鉄筋固定工程が行われてもよい。鉄筋固定工程では、例えば、芯材４に巻き付けられた末尾の鉄筋２が水平から傾斜した鉄筋配置面３０の下部に固定される。
【００３１】
鉄筋展開工程では、鉄筋固定工程により芯材４の周りに巻き付けられた鉄筋２のいずれかが固定された後に、芯材軸支工程で芯材４を軸支させた軸支材８を水平から傾斜した鉄筋配置面３０に沿って水平から傾斜した方向に移動させることにより、鉄筋２が鉄筋配置面３０に展開される。鉄筋配置面３０が、例えば、水平から３０°、４５°、６０°及び９０°のいずれの角度に傾斜した場合においても、本実施形態の鉄筋配置方法を適用することができる。図１２の例では、芯材軸支工程で芯材４を軸支させた軸支材８が水平から９０°傾斜した垂直な鉄筋配置面３０に沿って水平から９０°傾斜した垂直な方向に移動させられる。
【００３２】
鉄筋展開工程では、軸支材８を鉄筋配置面３０に沿って上方向に移動させることにより、鉄筋２が鉄筋配置面３０に展開される。例えば、軸支材８を支持した一対の架台９を架台懸架具１０を介してクレーン等により楊重し、架台９を鉄筋配置面３０に沿って上方向に移動させることにより、芯材４を軸支させた軸支材８を上方向に移動させることができる。
【００３３】
鉄筋展開工程では、鉄筋２を芯材４から引き出しつつ、間隔保持線３により連結された互いに隣接する鉄筋２同士の間に補強材１１を取付けてもよい。補強材１１は、例えば、その両端部に鉄筋２を引掛けるための鉤部を含む線材である。間隔保持線３により連結された互いに隣接する鉄筋２のそれぞれに補強材１１の両端部の鉤部が引掛けられることにより、互いに隣接する鉄筋２に補強材１１が取り付けられる。なお、鉄筋展開工程では、上述したように、鉄筋固定工程により芯材４の周りに巻き付けられた鉄筋２のいずれかが固定された後に、芯材軸支工程で芯材４を軸支させた軸支材８を水平な鉄筋配置面３０に沿って水平方向に移動させることにより鉄筋２が鉄筋配置面３０に展開される場合においても、鉄筋２を芯材４から引き出しつつ、間隔保持線３により連結された互いに隣接する鉄筋２同士の間に補強材１１を取付けてもよい。
【００３４】
また、図１３に示すように、鉄筋固定工程では、例えば、芯材４に巻き付けられた末尾の鉄筋２が水平から傾斜した鉄筋配置面３０の上部に固定されてもよい。鉄筋展開工程では、軸支材８を鉄筋配置面３０に沿って下方向に移動させることにより、鉄筋２が鉄筋配置面３０に展開されてもよい。例えば、軸支材８を支持した一対の架台９を架台懸架具１０を介してクレーン等により楊重し、架台９を鉄筋配置面３０に沿って下方向に移動させることにより、芯材４を軸支させた軸支材８を下方向に移動させることができる。この場合も、鉄筋展開工程では、鉄筋２を芯材４から引き出しつつ、間隔保持線３により連結された互いに隣接する鉄筋２同士の間に補強材１１を取付けてもよい。
【００３５】
一方、図１４に示すように、鉄筋固定工程は行われずに、芯材軸支工程で芯材４を軸支させた軸支材８を固定する軸支材固定工程が行われてもよい。軸支材固定工程では、例えば、軸支材８を支持した一対の架台９が鉄筋配置面３０に固定される。鉄筋展開工程では、軸支材固定工程で固定された軸支材８により軸支された芯材４の周りに巻き付けられた鉄筋２を水平な鉄筋配置面３０に沿って芯材４から水平方向に引き出すことにより、鉄筋２が鉄筋配置面３０に展開される。例えば、芯材４に巻き付けられた末尾の鉄筋２を吊枠１２に固定し、吊枠１２を水平方向に移動させることにより、芯材４の周りに巻き付けられた鉄筋２を芯材４から水平方向に引き出すことができる。
【００３６】
また、図１５に示すように、芯材軸支工程で芯材４を軸支させた軸支材８を固定する軸支材固定工程が行われてもよい。軸支材固定工程では、例えば、軸支材８を支持した一対の架台９が水平から傾斜した鉄筋配置面３０の下部又は鉄筋配置面３０の下部の近傍の床面に固定される。
【００３７】
鉄筋展開工程では、軸支材固定工程で固定された軸支材８により軸支された芯材４の周りに巻き付けられた鉄筋２を水平から傾斜した鉄筋配置面３０に沿って芯材４から水平から傾斜した方向に引き出すことにより、鉄筋２が鉄筋配置面３０に展開される。鉄筋配置面３０が、例えば、水平から３０°、４５°、６０°及び９０°のいずれの角度に傾斜した場合においても、本実施形態の鉄筋配置方法を適用することができる。図１５の例では、軸支材固定工程で固定された軸支材８により軸支された芯材４の周りに巻き付けられた鉄筋２が水平から９０°傾斜した垂直な鉄筋配置面３０に沿って水平から９０°傾斜した垂直な方向に移動させられる。
【００３８】
鉄筋展開工程では、鉄筋２を鉄筋配置面３０に沿って芯材４から上方向に引き出すことにより、鉄筋２が鉄筋配置面３０に展開される。芯材４に巻き付けられた末尾の鉄筋２を吊枠１２に固定し、吊枠１２を上方向に移動させることにより、芯材４の周りに巻き付けられた鉄筋２を芯材４から上方向に引き出すことができる。この場合も、鉄筋展開工程では、鉄筋２を芯材４から引き出しつつ、間隔保持線３により連結された互いに隣接する鉄筋２同士の間に補強材１１を取付けてもよい。なお、鉄筋展開工程では、上述したように、軸支材固定工程で固定された軸支材８により軸支された芯材４の周りに巻き付けられた鉄筋２を水平な鉄筋配置面３０に沿って芯材４から水平方向に引き出すことにより鉄筋２が鉄筋配置面３０に展開される場合においても、鉄筋２を芯材４から引き出しつつ、間隔保持線３により連結された互いに隣接する鉄筋２同士の間に補強材１１を取付けてもよい。
【００３９】
また、図１６に示すように、芯材軸支工程で芯材４を軸支させた軸支材８を固定する軸支材固定工程が行われてもよい。軸支材固定工程では、例えば、軸支材８を支持した一対の架台９を架台懸架具１０を介してクレーン等により楊重することにより、芯材４を軸支させた軸支材８が水平から傾斜した鉄筋配置面３０の上部又は鉄筋配置面３０の上部の近傍の空間に固定される。
【００４０】
鉄筋展開工程では、鉄筋２を鉄筋配置面３０に沿って芯材４から下方向に引き出すことにより、鉄筋２が鉄筋配置面３０に展開されてもよい。例えば、芯材４に巻き付けられた末尾の鉄筋２を吊枠１２に固定し、吊枠１２を下方向に移動させることにより、芯材４の周りに巻き付けられた鉄筋２を芯材４から下方向に引き出すことができる。この場合も、鉄筋展開工程では、鉄筋２を芯材４から引き出しつつ、間隔保持線３により連結された互いに隣接する鉄筋２同士の間に補強材１１を取付けてもよい。
【００４１】
本実施形態では、その長手方向Ｌが互いに平行になるようにしつつ、その長手方向Ｌに直交する方向に互いに間隔ｇを隔てて配置された複数の鉄筋２と、間隔ｇを隔てて配置された互いに隣接する鉄筋２同士を連結する間隔保持線３と、間隔保持線３により連結された複数の鉄筋２がその周りに巻き付けられた芯材４とを備えた鉄筋ユニット１において、芯材４の周りに巻き付けられた鉄筋２が展開される方向に芯材４が回転可能なように芯材４を軸支するための軸支材８をさらに備えるため、軸支材８を軸支することにより、鉄筋ユニット１の外周面を押して鉄筋ユニットを転がさなくても、芯材４の周りに巻き付けられた鉄筋２を引き出すだけで、芯材４に巻き付けられた鉄筋２を展開することができ、鉄筋２の配置をより容易に行うことができる。軸支された芯材４から鉄筋２を引き出すことによる鉄筋２の展開は、鉄筋ユニット１を押すことによる鉄筋２の展開よりも、鉄筋２を展開する位置や速度の確認及び調整がし易く、鉄筋ユニット１を押しながら移動する必要も無いため、鉄筋２の配置をより容易に行うことができる。
【００４２】
つまり、鉄筋ユニット１を押すことにより鉄筋２を展開するときのように、作業員は前かがみにならないため、作業姿勢も非常に楽になり身体への負担が減少する。また、作業員は作業場所の全景を見て作業できるため、所定の位置に鉄筋２を配置し易くなる。鉄筋ユニット１の重量が大きいと鉄筋ユニット１を転がし鉄筋２を展開する際に大きな初動力が必要となるが、軸支された芯材４から鉄筋２を引き出す方が鉄筋ユニット１を押すよりも力が入りやすいため、少人数での鉄筋２の展開が可能となる。また、より少人数での鉄筋２の展開の方が鉄筋２を展開する速度を合せ易くなる。さらに、上筋施工時では、鉄筋上を歩いて作業する必要がなくなるため、作業がより容易となる。加えて、足場を設けずに地表面の高さで作業ができるため、足場設置の手間が省け、高所作業も不要となる。さらに、鉄筋ユニット１の外周面を押して鉄筋ユニットを転がすことにより鉄筋２を展開すると、傾斜が大きな場所や鉛直方向には適用できないという問題があるが、本実施形態によれば、鉄筋配置面３０が水平に対して傾斜している場合にも、より対応し易くなる。つまり、壁部材の配力筋など、鉛直方向に施工される配筋でも本実施形態の鉄筋ユニット１を適用可能である。また、高所での個々の鉄筋２の運搬、間配り作業を省略することができる。また、鉄筋結束時に鉄筋を支える必要が無いため、本実施形態の鉄筋ユニット１は施工の省人化にも寄与する。
【００４３】
また、本実施形態では、鉄筋固定工程で、芯材４の周りに巻き付けられた鉄筋２のいずれかが固定され、鉄筋展開工程では、鉄筋固定工程により芯材４の周りに巻き付けられた鉄筋２のいずれかが固定された後に、芯材軸支工程で芯材４を軸支させた軸支材８を水平な鉄筋配置面３０に沿って水平方向に移動させることにより、鉄筋２が鉄筋配置面３０に展開させられるため、鉄筋ユニット１の外周面を押して鉄筋ユニット１を転がさなくても、芯材４に巻き付けられた鉄筋２を水平な鉄筋配置面３０に展開することができ、鉄筋２の配置をより容易に行うことができる。
【００４４】
また、本実施形態では、鉄筋固定工程で、芯材４の周りに巻き付けられた鉄筋２のいずれかが固定され、鉄筋展開工程では、鉄筋固定工程により芯材４の周りに巻き付けられた鉄筋２のいずれかが固定された後に、芯材軸支工程で芯材４を軸支させた軸支材８を水平から傾斜した鉄筋配置面３０に沿って水平から傾斜した方向に移動させることにより、鉄筋２が鉄筋配置面３０に展開させられるため、鉄筋ユニット１の外周面を押して鉄筋ユニット１を転がさなくても、芯材４に巻き付けられた鉄筋２を展開することができ、鉄筋２の配置をより容易に行うことができる。また、水平から傾斜した、例えば、垂直な鉄筋配置面３０により容易に鉄筋２を展開することができる。
【００４５】
また、本実施形態では、軸支材固定工程で、芯材軸支工程で芯材４を軸支させた軸支材８が固定され、鉄筋展開工程では、軸支材固定工程で固定された軸支材８により軸支された芯材４の周りに巻き付けられた鉄筋２を水平な鉄筋配置面３０に沿って芯材４から水平方向に引き出すことにより、鉄筋２が鉄筋配置面３０に展開させられるため、鉄筋ユニット１の外周面を押して鉄筋ユニット１を転がさなくても、芯材４に巻き付けられた鉄筋２を水平な鉄筋配置面３０に展開することができ、鉄筋２の配置をより容易に行うことができる。
【００４６】
また、本実施形態では、軸支材固定工程で、芯材軸支工程で芯材４を軸支させた軸支材８が固定され、鉄筋展開工程では、軸支材固定工程で固定された軸支材８により軸支された芯材４の周りに巻き付けられた鉄筋２を水平から傾斜した鉄筋配置面３０に沿って芯材４から水平から傾斜した方向に引き出すことにより、鉄筋２が鉄筋配置面３０に展開させられるため、鉄筋ユニット１の外周面を押して鉄筋ユニット１を転がさなくても、芯材４に巻き付けられた鉄筋２を展開することができ、鉄筋２の配置をより容易に行うことができる。
【００４７】
また、本実施形態では、鉄筋展開工程では、鉄筋２が芯材４から引き出される際に、間隔保持線３により連結された互いに隣接する鉄筋２同士の間に補強材１１が取付けるため、例えば、水平から傾斜した方向に鉄筋２が引き出されても、鉄筋２同士の連結の強度を補強することができる。
【００４８】
以上、本発明の実施形態について説明したが、本発明は上記実施形態に限定されることなく様々な形態で実施される。例えば、鉄筋２を細径にし、間隔保持線３を細いものにして、鉄筋２及び間隔保持線３がワイヤーメッシュのようなものであっても本実施形態の鉄筋ユニット１によれば、鉄筋２をより簡単に展開することができる。
【符号の説明】
【００４９】
１…鉄筋ユニット、２…鉄筋、３…間隔保持線、４…芯材、５…螺旋線材、６…フック部、７…軸支材受部、８…軸支材、９…架台、１０…架台懸架具、１１…補強材、１２…吊枠、３０…鉄筋配置面、Ｌ…長手方向、Ｄ…幅方向、ｇ…間隔。
【図１】
2019037994.tif 000003
【図２】
2019037994.tif 000004
【図３】
2019037994.tif 000005
【図４】
2019037994.tif 000006
【図５】
2019037994.tif 000007
【図６】
2019037994.tif 000008
【図７】
2019037994.tif 000009
【図８】
2019037994.tif 000010
【図９】
2019037994.tif 000011
【図１０】
2019037994.tif 000012
【図１１】
2019037994.tif 000013
【図１２】
2019037994.tif 000014
【図１３】
2019037994.tif 000015
【図１４】
2019037994.tif 000016
【図１５】
2019037994.tif 000017
【図１６】
2019037994.tif 000018